(57)【要約】    【課題】球払い出し手段のにおて、遊技球の落下時の衝撃による電気的駆動手段の損傷を防止できるようにする。    【解決手段】球払い出し手段２６は、外周面で遊技球を受ける球受け手段３９と、球受け手段３９とは別に設けられ且つ球受け手段３９の外周面で受けられた遊技球を払い出し方向に移送する球移送手段４０と、球移送手段４０を払い出し方向に駆動する電気的駆動手段４１とを備え、球受け手段３９及び球移送手段４０は共に回転式であり、球受け手段３９を遊転自在に設けたものである。【選択図】    図１
2007007475.tif 000002
【特許請求の範囲】
【請求項１】
遊技機本体（５）の裏側に、払い出し用の遊技球を貯留する球貯留手段（２４）と、該球貯留手段（２４）からの遊技球を払い出し要求に応じて払い出す球払い出し手段（２６）とを備えた弾球遊技機において、前記球払い出し手段（２６）は、外周面で遊技球を受ける球受け手段（３９）と、該球受け手段（３９）とは別に設けられ且つ該球受け手段（３９）の外周面で受けられた遊技球を払い出し方向に移送する球移送手段（４０）と、該球移送手段（４０）を払い出し方向に駆動する電気的駆動手段（４１）とを備え、前記球受け手段（３９）及び前記球移送手段（４０）は共に回転式であり、前記球受け手段（３９）を遊転自在に設けたことを特徴とする弾球遊技機。
【発明の詳細な説明】
【技術分野】
【０００１】
本発明は、パチンコ機、アレンジボール機、雀球遊技機等の弾球遊技機、取り分けその球払い出し手段に関するものである。
【背景技術】
【０００２】
パチンコ機等の弾球遊技機では、遊技機本体の裏側に、遊技島の球補給系から補給される遊技球を貯留する球貯留手段と、この球貯留手段からの遊技球を払い出し要求に応じて払い出す球払い出し手段とを備え、賞球の払い出し要求、貸し球の払い出し要求等があれば、球払い出し手段により球貯留手段内の遊技球を上皿へと払い出すようにしている。
【０００３】
この種の球払い出し手段には、従来、払い出しケース内に、外周に繰り出し凹部が形成されたスプロッケット状の回転体を設け、この回転体をモータ等の電気的駆動手段により払い出し方向に回転させて、球貯留手段から供給される遊技球を順次繰り出し凹部内に受け入れながら、払い出し要求に応じた数の遊技球を回転体の回転により払い出すようにしたものがある。
【発明の開示】
【発明が解決しようとする課題】
【０００４】
従来の球払い出し手段は、球貯留手段側から落下する遊技球を、回転体の外周の繰り出し凹部内で受けて繰り出す構造であるため、空の状態の球払い出し手段に球貯留手段側から遊技球を供給した場合に、遊技球の落下時の大きな衝撃が回転体に直接加わることになる。このような衝撃が遊技球の補給の都度回転体に加われば、その回転体を介して電気的駆動手段に加わる衝撃によって、電気的駆動手段が損傷する惧れがある。
【０００５】
本発明は、かかる従来の課題に鑑み、遊技球の落下時の衝撃による電気的駆動手段の損傷を防止できる球払い出し手段を備えた弾球遊技機を提供することを目的とする。
【課題を解決するための手段】
【０００６】
本発明は、遊技機本体５の裏側に、払い出し用の遊技球を貯留する球貯留手段２４と、該球貯留手段２４からの遊技球を払い出し要求に応じて払い出す球払い出し手段２６とを備えた弾球遊技機において、前記球払い出し手段２６は、外周面で遊技球を受ける球受け手段３９と、該球受け手段３９とは別に設けられ且つ該球受け手段３９の外周面で受けられた遊技球を払い出し方向に移送する球移送手段４０と、該球移送手段４０を払い出し方向に駆動する電気的駆動手段４１とを備え、前記球受け手段３９及び前記球移送手段４０は共に回転式であり、前記球受け手段３９を遊転自在に設けたものである。
【発明の効果】
【０００７】
本発明では、遊技機本体５の裏側に、払い出し用の遊技球を貯留する球貯留手段２４と、該球貯留手段２４からの遊技球を払い出し要求に応じて払い出す球払い出し手段２６とを備えた弾球遊技機において、球払い出し手段２６は、外周面で遊技球を受ける球受け手段３９と、該球受け手段３９とは別に設けられ且つ該球受け手段３９の外周面で受けられた遊技球を払い出し方向に移送する球移送手段４０と、該球移送手段４０を払い出し方向に駆動する電気的駆動手段４１とを備え、球受け手段３９及び球移送手段４０は共に回転式であり、球受け手段３９を遊転自在に設けているので、球払い出し手段２６への遊技球の補給等に際しても、遊技球の落下時の衝撃による電気的駆動手段４１の損傷を防止できる。
【発明を実施するための最良の形態】
【０００８】
以下、本発明の実施例を図面に基づいて詳述する。図１〜図５は本発明の第１の実施形態を例示し、図４及び図５において、１はパチンコ機、２は自動球貸し機で、これらは遊技島に左右方向に交互に配置されている。
【０００９】
パチンコ機１は、矩形状の外枠３と、この外枠３に開閉自在に枢着された前枠４とを含む遊技機本体５を備え、その前枠４に遊技盤６が着脱自在に装着され、また遊技盤６の前側にガラス扉７と前面板８とが開閉自在に配置されている。前面板８には発射用の遊技球を貯留するための上皿９が装着され、この上皿９の前縁部に、カード残金表示部１０と球貸しスイッチ１１と返却スイッチ１２とが設けられている。
【００１０】
前枠４の下部には余剰球を貯留するための下皿１３と、発射手段１４の発射ハンドル１５とが設けられている。発射手段１４は、発射ハンドル１５を操作したときに、上皿９から発射部へと１個づつ供給される遊技球を打撃槌で打撃して、その遊技球を遊技盤６へと発射させるようになっている。
【００１１】
遊技盤６には、ガイドレール１６が環状に装着されると共に、そのガイドレール１６の内側の遊技領域に液晶表示手段１７、可変入賞手段１８等の複数個の遊技部品が装着されている。
【００１２】
自動球貸し機２はカード挿入口１９と表示ランプ２０とを有し、カード挿入口１９にカードを挿入すれば、表示ランプ２０が点灯すると共に、上皿９の前縁部のカード残金表示部１０に残金が表示され、またカードの挿入後に球貸しスイッチ１１を押せば、上皿９に所定数の貸球が払い出され、更に遊技終了後に返却スイッチ１２を押せば、残金を記録済みのカードがカード挿入口１９から返却されるようになっている。
【００１３】
前枠４の裏側には、遊技盤６を裏側から押さえる裏機構板２１が開閉自在に装着されている。裏機構板２１には、遊技盤６の裏側の裏カバー２２が嵌合する開口部２３が形成され、その上側に球貯留手段２４及び球供給手段２５が、左右方向の一側に球払い出し手段２６が、下側に通路ユニット２７が夫々設けられている。球貯留手段２４は、外部の遊技球補給系から補給された遊技球を貯留するためのもので、貯留タンク等により構成され、球供給手段２５を経て球払い出し手段２６側へと遊技球を供給するようになっている。
【００１４】
裏カバー２２は、遊技盤６に装着された液晶表示手段１７等の各遊技部品等を裏側から覆うように、遊技盤６の裏側に着脱自在に固定されている。裏カバー２２には、主制御基板２８を収納する主制御基板ケース２９と、ランプ制御基板３０を収納するランプ制御基板ケース３１と、音声制御基板３２を収納する音声制御基板ケース３３とが着脱自在に装着されている。通路ユニット２７の裏側には、制御基板ケース３４が着脱自在に装着され、この制御基板ケース３４内に電源基板３５と払い出し制御基板３６とが左右に収納されている。
【００１５】
球払い出し手段２６は、図１〜図３に示すように賞球払い出し手段及び貸し球払い出し手段を兼用するもので、払い出しケース３７の払い出し室３８内に、外周面で遊技球を受ける球受け手段３９と、この球受け手段３９の外周面で受けられた遊技球を払い出し方向に移送する球移送手段４０と、この球移送手段４０を駆動する電気的駆動手段４１とを備え、賞球の払い出し要求、貸し球の払い出し要求があったときに電気的駆動手段４１が球移送手段４０を払い出し方向に駆動して、球移送手段４０の回転により所定数の遊技球を払い出すようになっている。
【００１６】
払い出しケース３７内には、その上下方向の中間に払い出し室３８が設けられ、この払い出し室３８の上側に左右二列の案内通路４２が上下方向にＳ字状等の湾曲状に形成され、また払い出し室３８の下側に左右二列の払い出し通路４３が形成され、更に案内通路４２の下側で払い出し通路４３の背後に排出通路４４が形成されている。案内通路４２、払い出し通路４３は、払い出しケース３７内に配置された隔壁４５の左右両側に二列設けられている。
【００１７】
案内通路４２の下部は、前後方向の一側で払い出し室３８側にＪ字状に湾曲しており、その下端の連通部４６を介して払い出し室３８の上下方向の中間に連通されている。また案内通路４２の下端部には、その連通部４６に対して払い出し室３８と反対側に、案内通路４２から上側の遊技球を排出通路４４側へと抜き取るための抜き取り口４７と、この抜き取り口４７を開閉自在に閉塞する開閉蓋４８とが設けられている。開閉蓋４８は、その上端側の枢軸４９により回動自在に枢支され、図外の操作手段を操作したときに閉状態でのロックが解除され、遊技球の荷重によって枢軸４９廻りに開放するようになっている。
【００１８】
払い出し通路４３は、上部側が案内通路４２と反対側で払い出し室３８に連通されている。払い出し通路４３の下部側は、賞球通路５０と貸し球通路５１とに区画され、また払い出された遊技球を賞球通路５０と貸し球通路５１とに切り換えるための切り替え手段５２が設けられている。切り替え手段５２は枢軸５３により回動自在に枢支され、賞球の払い出し時に賞球通路５０側に、貸し球の払い出し時に貸し球通路５１側に夫々遊技球を案内するように、図外のソレノイド等の駆動手段により払い出し要求に応じて切り替え駆動されるようになっている。なお、賞球通路５０、貸し球通路５１には、遊技球の払い出しを確認する確認スイッチ５４，５５が設けられている。
【００１９】
球受け手段３９は外周面で遊技球を受けるように円筒状に構成され、左右二列の案内通路４２及び払い出し通路４３に跨がるように払い出し室３８内に左右方向に配置されている。この球受け手段３９は固定式で、左右方向の一端側のフランジ状の一方の支持部材５６に一体に形成され、その支持部材５６を介して払い出しケース３７の一方の側壁５７に着脱自在に固定されている。また球受け手段３９の内周側には固定軸５８が同心状に設けられ、この固定軸５８はその軸心方向の一端側で支持部材５６に一体に形成され、他端側が払い出しケース３７の他方の側壁５９に着脱自在に固定された他方の支持部材６０により支持されている。
【００２０】
球移送手段４０は、球受け手段３９の外周側に球受け手段３９とは別に設けられている。この球移送手段４０には、左右二列の案内通路４２及び払い出し通路４３に対応するように、周方向に略等間隔をおいて複数個の移送部６１が設けられている。即ち、球移送手段４０には、左右方向に３個の環状部６２と、隣り合う一対の環状部６２を連結するように配置された周方向に複数個の移送部６１とを一体に備え、その環状部６２と移送部６１との間に径方向に開口する開口部６３が形成され、その開口部６３に球受け手段３９の外周面の遊技球が嵌脱自在に嵌合するようになっている。各移送部６１は、案内通路４２からの遊技球を掬い上げるようになっている。
【００２１】
球移送手段４０の一端側には、段部６４を介して環状部６２と一体にフランジ部６５が設けられ、その段部６４の外周にギヤー６７が、フランジ部６５に筒状部６６が夫々球受け手段３９と同心状に一体に形成されている。筒状部６６は固定軸５８に回転自在に套嵌され、この筒状部６６、固定軸５８を介して球移送手段４０が球受け手段３９の内周側で回転及び着脱自在に支持されている。
【００２２】
ギヤー６７にはピニオンギヤー６８が噛合され、またピニオンギヤー６８は電気的駆動手段４１の駆動軸６９に固定されている。電気的駆動手段４１はステッピングモータ等により構成され、支持部材６０の外側に着脱自在に固定されている。ギヤー６７、ピニオンギヤー６８は、支持部材６０により外側から覆われている。
【００２３】
球受け手段３９及び球移送手段４０は、遊技球の接触等による摩耗を防止するように、ナイロン、ジュラコン等の耐摩耗性を有する合成樹脂材料等により形成されている。なお、耐摩耗性材料であれば、合成樹脂材料以外の金属材料を使用しても良い。また固定軸５８と筒状部６６との間に滑り性の良いブッシュ等を介在しても良い。
【００２４】
払い出し制御基板３６は、主制御基板２８側からの賞球の払い出し要求、自動球貸し機２側からの貸し球の払い出し要求があった場合に、その払い出し要求に応じて所定数の遊技球を払い出すように電気的駆動手段４１を制御すると共に、停止時に球移送手段４０の開口部６３が案内通路４２の連通部４６に対応して、その周方向の両側の一対の移送部６１が連通部４６の周方向の両側に対応する位置で停止するように電気的駆動手段４１を制御する。
【００２５】
なお、球移送手段４０の左右二列の移送部６１は、停止状態のときに各列の開口部６３が連通部４６に対応して、空の状態で遊技球を供給する際に案内通路４２からの遊技球が移送部６１に衝突しないように略同一直線状に形成されている。従って、左右の払い出し通路４３に対して交互に遊技球を払い出す場合には、払い出し室３８の案内周壁７０の払い出し端７１を、二列の遊技球が交互に球移送手段４０から放出されるように周方向に位置をずらせておけば良い。
【００２６】
次に上記構成における動作を説明する。通常、球払い出し手段２６の球移送手段４０は、その開口部６３が案内通路４２の連通部４６に対応し、移送部６１が連通部４６の周方向の両側に外れた状態にある。このため球払い出し手段２６の案内通路４２内に遊技球が充満した状態では、１個の遊技球が開口部６３内に入った状態で球受け手段３９により受け止められ、後続の遊技球が案内通路４２内に一列状に並んでいる。
【００２７】
自動球貸し機２から貸し球の払い出し要求があり、電気的駆動手段４１が作動して球移送手段４０を払い出し方向へと起動すると、ピニオンギヤー６８、ギヤー６７を介して球移送手段４０へと回転力が伝達され、筒状部６６を介して固定軸５８により支持された球移送手段４０がａ矢示方向へと払い出し方向に回転して、案内通路４２内の遊技球を順次払い出して行く。
【００２８】
この払い出しに際して、球移送手段４０がａ矢示方向に回転すると、その開口部６３が連通部４６に対応する毎に、案内通路４２内の下側の遊技球が後続の遊技球の荷重で押されて順次開口部６３内に入り、その開口部６３内で内周側の球受け手段３９により受け止められる。そして、開口部６３に入った遊技球は、球受け手段３９の外周に沿って球移送手段４０の回転により、移送部６１によって払い出し方向へと送られた後、払い出し室３８の案内周壁７０の払い出し端７１から払い出し通路４３へと移動する。
【００２９】
この場合には、切り替え手段５２が貸し球通路５１側に切り替わっているので、払い出し通路４３の遊技球は、切り替え手段５２により貸し球通路５１へと案内され、その貸し球通路５１を経て貸し球として払い出され、その貸し球を確認スイッチ５５が検出する。
【００３０】
なお、賞球の払い出し要求の場合には、切り替え手段５２が賞球通路５０側に切り替わるので、払い出し通路４３の遊技球は、切り替え手段５２、賞球通路５０を経て賞球として払い出され、その遊技球を確認スイッチ５４が検出する。
【００３１】
球貯留手段２４内の遊技球を抜き取る際には、操作手段を操作して開閉蓋４８のロックを解除すると、案内通路４２内の遊技球の荷重によって開閉蓋４８が枢軸４９廻りに回動して抜き取り口４７を開放する。これによって払い出し室３８から上流側の全ての遊技球が抜き取り口４７から排出通路４４へと流下し、遊技球を抜き取ることができる。
【００３２】
球貯留手段２４内に遊技球がない場合等には、遊技島側の遊技球補給系から遊技球を補給する。この場合に、球払い出し手段２６内の遊技球が空の状態において、球貯留手段２４に遊技球を補給すると、その遊技球は球貯留手段２４から球供給手段２５を経て球払い出し手段２６側へと送られる。
【００３３】
球払い出し手段２６では、球供給手段２５からの遊技球が案内通路４２内を経て払い出し室３８側へと流下し、最初の遊技球が球移送手段４０の開口部６３に入って球受け手段３９の外周に当接する。そして、最初の遊技球が球受け手段３９に当接すると、後続の遊技球は案内通路４２内に下側から順次一列状に溜まり、その後、球貯留手段２４から球払い出し手段２６の案内通路４２の全体に充満して行く。
【００３４】
案内通路４２内の遊技球が空の場合、遊技球が球貯留手段２４、球供給手段２５、案内通路４２等を経て転がりながら下方側へと流動するため、最初の遊技球は後続の遊技球の慣性力等を受けながら球受け手段３９に衝撃的に衝突することがある。しかし、球受け手段３９とその外周側の球移送手段４０とを別部材により構成し、球受け手段３９を払い出しケース３７側に固定し、球移送手段４０をギヤー６７、ピニオンギヤー６８を介して電気的駆動手段４１により駆動するようにしているので、球補給系の遊技球の衝撃を球受け手段３９側で受けることができ、遊技球の補給時の衝撃による電気的駆動手段４１の損傷を未然に防止できる。
【００３５】
また球移送手段４０の停止状態ではその開口部６３が案内通路４２の連通部４６に対応し、この開口部６３の両側の移送部６１がその連通部４６の周方向の両側に外れた状態になっているため、球受け手段３９で受けられた遊技球を、球受け手段３９の外周側の球移送手段４０により払い出し方向に移送するようにしているにも拘らず、補給時の遊技球が衝撃的に球移送手段４０、取り分けその移送部６１に衝突するようなこともなく、遊技球の衝撃による球移送手段４０の損傷も防止できる。
【００３６】
また球受け手段３９は固定式であり、その外周の球移送手段４０を回転式としているので、球受け手段３９が回転式の場合に比較してガタツキが少なく、遊技球の払い出しを円滑に行うことができる。しかも、球移送手段４０は、球受け手段３９の内周側で固定軸５８により筒状部６６を介して回転自在に支持されているので、簡単な構造で固定軸５８により球移送手段４０を確実に支持できる。固定軸５８は、一対の支持部材５６，６０で両持ち状に支持しているため、球移送手段４０の回転時の軸振れ等も防止できる。
【００３７】
図６及び図７は本発明の第２の実施形態を例示している。この実施形態では、球受け手段３９、球移送手段４０が共に回転式であり、電気的駆動手段４１の駆動力を球移送手段４０を介して球受け手段３９へと伝達するようにしている。
【００３８】
球受け手段３９は外周が円筒状であって、一方の支持部材５６とは分離して設けられ、両端側が一方の支持部材５６の環状の受け部７２と球移送手段４０の段部６４の内周側の受け部７３とによって回転自在に支持されている。また球受け手段３９の内周と、球移送手段４０の筒状部６６の外周には、その一方に係合突部７４が、他方に係合凹部７５が夫々軸心方向に形成され、その係合突部７４と係合凹部７５とが軸心方向に係脱自在に係合されている。
【００３９】
なお、球受け手段３９は、球移送手段４０の筒状部６６の外周で支持しても良い。また係合凹部７５、係合突部７４に代えてスプライン等を採用しても良い。他の構成は、第１の実施形態と同じである。
【００４０】
遊技球を払い出す際には、電気的駆動手段４１の駆動力により球移送手段４０が固定軸５８上で払い出し方向に回転し、球受け手段３９が係合突部７４と係合凹部７５との係合構造を介して球移送手段４０と一体に回転する。この場合にも、球受け手段３９の外周で遊技球が振動又は摺動することがないので、球受け手段３９の外周面側の損傷を防止できる。
【００４１】
また球受け手段３９は、これとは別体の球移送手段４０を介して電気的駆動手段４１により駆動するようになっているので、球受け手段３９を電気的駆動手段４１で直接駆動する場合に比較して、遊技球の補給時の衝撃による電気的駆動手段４１の損傷を防止できる。
【００４２】
図８は本発明の第３の実施形態を例示している。この実施形態では、球受け手段３９、球移送手段４０が共に回転式であり、球受け手段３９が遊転自在に設けられ、電気的駆動手段４１により球移送手段４０のみを払い出し方向に駆動するようになっている。
【００４３】
球受け手段３９は内周及び外周が円筒状であって、一方の支持部材５６とは分離して設けられ、球移送手段４０の筒状部６６の外周に遊転自在に套嵌されている。他の構造は第１の実施形態と同様である。なお、第２の実施形態と同様に、球受け手段３９の両端側を一方の支持部材５６の受け部７２と球移送手段４０の段部６４の内周側の受け部７３とによって回転自在に支持するようにしても良い。
【００４４】
遊技球を払い出す際には、電気的駆動手段４１により球移送手段４０を固定軸５８上で払い出し方向に回転駆動する。しかし、球受け手段３９は固定しておらず、軸心廻りに遊転自在であるため、球移送手段４０の回転時に遊技球等の摩擦力を介して払い出し方向に連れ廻りすることがあり、球受け手段３９が固定状態の場合に比較して、球受け手段３９の外周面側の損傷を防止できる。
【００４５】
図９は本発明の第４の実施形態を例示している。この実施形態では、球受け手段３９を支持する支持部材５６に一体に筒状の固定軸５８が設けられ、この固定軸５８に球移送手段４０側の軸部７６が回転自在に内嵌されている。電気的駆動手段４１はギヤー６７、ピニオンギヤー６８を覆うカバー７７に装着されている。このようにして球受け手段３９の内周側で球移送手段４０を回転自在に支持するように構成することも可能である。なお、球受け手段３９は、他の実施形態と同様に支持部材から分離して回転又は遊転自在にしても良い。
【００４６】
図１０は本発明の第５の実施形態を例示している。この実施形態では、球移送手段４０の両端外周が払い出しケース３７の側壁５７，５９により回転自在に支持され、また球移送手段４０の段部６４側の受け部７３に球受け手段３９の端部が回転自在に嵌合されている。このように球移送手段４０をその外周側で払い出しケース３７により支持するようにしても良い。この場合には、球受け手段３９の内周側の構造を簡単にできる。なお、球受け手段３９を球移送手段４０で回転自在に支持することにより、球受け手段３９を回転又は遊転自在に設けることも可能である。
【００４７】
図１１は本発明の第６の実施形態を例示している。この実施形態では、払い出しケース３７内に案内通路４２が上下方向に形成され、この案内通路４２の直下の払い出し室３８内に球受け手段３９、球移送手段４０が設けられている。この場合にも、他の構造は第１〜５の実施形態と同様に実施できる。
【００４８】
以上、本発明の実施形態について詳述したが、本発明はこの実施形態に限定されるものではなく、本発明の趣旨を逸脱しない範囲で種々の変更が可能である。例えば実施形態では、二列払い出し式の球払い出し手段２６について例示しているが単列式、複列式の何れでも良い。また実施形態の球払い出し手段２６は賞球用と貸し球用とに兼用しているが、賞球用又は貸し球用の専用式でも良いし、複列式の場合には、その一方を賞球用とし、他方を貸し球用としても良い。
【００４９】
球受け手段３９を払い出しケース３７に固定する場合に、支持部材５６に球受け手段３９を一体に形成する他、両者を別体構造とし、支持部材５６を介して払い出しケース３７に固定しても良い。球移送手段４０は球受け手段３９を介して払い出しケース３７に対して回転自在に設けても良いし、払い出しケース３７により直接回転自在に支持しても良い。また球受け手段３９、球移送手段４０の支持構造は、実施形態に例示する以外のものでも良い。
【００５０】
球受け手段３９の外周には、耐摩耗材をコーティングしても良い。また球受け手段３９の外周に周方向に周溝を形成し、その周溝で遊技球を受けるようにしても良い。勿論、その周溝に耐摩耗材をコーティングしても良い。
【００５１】
電気的駆動手段４１は、点検等の点では払い出しケース３７の側部に設けることが望ましいが、球受け手段３９、球移送手段４０の支持構造が図１０に示すような場合には、仮想線で示すように、球受け手段３９の内部において、固定側の支持部材に電気的駆動手段４１を取り付け、この電気的駆動手段４１の駆動軸６９に球移送手段４０側のフランジ部６５等の軸部７８を連結するようにしても良い。また球払い出し手段２６は、実施形態では裏機構板２１に装着しているが、遊技機本体５の裏側であれば、裏機構板２１以外のものに装着しても良い。本発明はパチンコ機１の他、アレンジボール機、雀球遊技機等の各種の弾球遊技機においても同様に実施可能である。
【図面の簡単な説明】
【００５２】
【図１】本発明の第１の実施形態を示す球払い出し手段の側面断面図である。
【図２】本発明の第１の実施形態を示す球払い出し手段の背面断面図である。
【図３】本発明の第１の実施形態を示す球払い出し手段の球受け手段、球移送手段の斜視図である。
【図４】本発明の第１の実施形態を示すパチンコ機の正面図である。
【図５】本発明の第１の実施形態を示すパチンコ機の背面図である。
【図６】本発明の第２の実施形態を示す球払い出し手段の背面断面図である。
【図７】本発明の第２の実施形態を示す球払い出し手段の側面断面図である。
【図８】本発明の第３の実施形態を示す球払い出し手段の背面断面図である。
【図９】本発明の第４の実施形態を示す球払い出し手段の背面断面図である。
【図１０】本発明の第５の実施形態を示す球払い出し手段の背面断面図である。
【図１１】本発明の第６の実施形態を示す球払い出し手段の側面断面図である。
【符号の説明】
【００５３】
５  遊技機本体
２４  球貯留手段
２６  球払い出し手段
３９  球受け手段
４０  球移送手段
４１  電気的駆動手段
【図１】
2007007475.tif 000003
【図２】
2007007475.tif 000004
【図３】
2007007475.tif 000005
【図４】
2007007475.tif 000006
【図５】
2007007475.tif 000007
【図６】
2007007475.tif 000008
【図７】
2007007475.tif 000009
【図８】
2007007475.tif 000010
【図９】
2007007475.tif 000011
【図１０】
2007007475.tif 000012
【図１１】
2007007475.tif 000013